(57)【要約】【課題】本考案は座席やじゅうたんの表皮の洗浄に使う水を最小限に押さえ洗浄効果を最大限に上げることを目的にしたものである。【解決手段】本考案は箱型の形状をした表皮洗浄機から圧送された洗剤が霧状になって表皮を加湿し付着した汚れを浮き出させ、この浮き出た汚れにすすぎ用の清水を噴射して流動性を高め、電気掃除機の強力な吸引力を使って、瞬時にこれを吸い取るという、噴射と吸引を同時進行で行うので、当該表皮は自然乾燥の時を待たずして、即、使用可能の状態にまで復元することができる。【選択図】図１
0003130776.tif 000002
【実用新案登録請求の範囲】
【請求項１】
洗剤容器及びすすぎ用の清水容器並びに洗剤用圧送ポンプとすすぎ用の清水圧送ポンプ装置を内蔵する表皮洗浄機は、箱形の形状をなし、内部は遮へい板で仕切られた少なくとも二つの部屋から成りポンプ室と容器室に別れており、ポンプと容器は遮へい板を貫通する配管によりそれぞれ着脱自在に接続される表皮洗浄機の構造
【請求項２】
箱形の形状をなした本体の天板上に電気掃除機を着脱自在に載設し一体化して成る請求項１に記載の表皮洗浄機の構造。
【考案の詳細な説明】
【技術分野】
【０００１】  本考案は、表皮の洗浄用洗剤溶液とすすぎ用の清水とこれを圧送する動力ポンプを内蔵し天板上部には、電気掃除機を載設した表皮洗浄機に関するものである。
【背景技術】
【０００２】  電車、バス、乗用車等の座席およびホテルや公会堂等の座席やじゅうたんの清掃作業をするときは、洗剤を入れた容器とこれを散布するための散布用圧送ポンプを用意し、次の工程のすすぎ用の清水を入れた容器とこの清水を噴射するための圧送ポンプを用意し、さらに水分と汚れを吸い取るために電気掃除機を用意するなど、それぞれ用途に応じて、器具を個別に用意して清掃作業を行っていた。
【考案の開示】
【考案が解決しようとする課題】
【０００３】  しかしながらこのような従来の方法では、器具の数が多すぎて狭い作業現場に器具がひしめくように散乱して作業がしづらく、特に電車、バス、公会堂等の座席数の多い場所での清掃作業では器具が多いため、作業効率が著しく低下するのはいなめない。従って、洗浄に必要な器具をコンパクトにまとめて一つの箱に収納し一体化することにより箱自体を１台の表皮洗浄機とすることで前述の欠点を解決しようとするものである。
【課題を解決するための手段】
【０００４】  本考案は、洗剤容器及びすすぎ用の清水容器並びに洗剤用ポンプとすすぎ用の清水ポンプ装置を内蔵する箱形の形状をした表皮洗浄機で、内部は遮へい板で２室に仕切られており一方をポンプ室とし他方を容器室として区別し、振動等でポンプと容器が接触しないようになっている。【０００５】  ポンプと容器は遮へい板を貫通する配管により、それぞれ着脱自在に接続されていて、作業の手順に応じて配管にアタッチメントを接続して清掃作業が行えるようにしたことでこの問題点を解決した。
【考案の効果】
【０００６】  以上のように、本考案の表皮洗浄機は清掃作業現場における作業用器具の散乱をなくし一カ所にまとめたことにより、作業用器具を必要に応じて手もとで即座に交換して次の作業に移ることが出来るので、安全かつ極めて効率のよい清掃作業の実現に役立つ。
【考案を実施するための最良の形態】
【０００７】  箱形の形状をした表皮洗浄機の天板は着脱自在の蓋になっており、蓋を開けると箱の中は遮へい板によって２室に分けられており、一方はポンプ室他方は洗浄用の洗剤およびすすぎ用の清水を溜め置く容器室になっていて、ポンプと容器が振動または移動中に接触して水漏れ事故を起こさないように配慮されている。【０００８】  ポンプと容器は耐圧用で自在に曲がるホースによって着脱自在に接続され、洗浄水の補給や容器の取り替えが迅速に行えるようになっている。【０００９】  容器は洗剤用と清水用の２種類を色分けして複数用意することで中身を間違えることもなく洗浄作業をスムースに進めることが出来る。【００１０】  ポンプはポンプ室の底板に適度の間隔を置いてそれぞれボルトで固定し、余計な振動を起こさないように配慮されている。【００１１】  洗浄のために散布された洗剤や清水による、すすぎ用の水分を吸い取るための電気掃除機は天板の上に脱落しないようにバンドで固定し着脱自在に載設されており、水分が表皮やじゅうたんの奥深くに浸透する前に手早く吸引作業が出来るようにセットされている。
【実施例】
【００１２】  以下、添付図面に従って実施例を説明する。１はポンプと容器を収納する箱形の形状をなした表皮洗浄機の本体、２は水も埃も同時に吸引する強力な電気掃除機、３は電気掃除機の操作盤、４は掃除機の吸引口接続部、５はポンプＡに繋がる配管の吐出口接続部Ａ、６はポンプＢに繋がる配管の吐出口接続部Ｂ、７は洗剤の溶液を圧送するポンプＡ、８は洗剤や埃を洗い流すためのすすぎ用の清水を圧送するポンプＢ、９は洗剤の溶液を容器から吸引するための配管Ａ、１０はすすぎ用の清水を容器から吸引するための配管Ｂ、１１は洗剤の溶液の吐出用の配管Ｃ、１２はすすぎ用の清水の吐出用の配管Ｄ、１３は配管Ａに接続される耐圧用で自在に曲がるホースＡ、１４は配管Ｂに接続される耐圧用で自在に曲がるホースＢ、１５は洗剤の溶液用の容器Ａ、１６は清水用の容器Ｂ、１７は洗剤溶液の注水口Ａ、１８はすすぎ用の清水の注水口Ｂ、１９はホース投入口Ａ、２０はホース投入口Ｂ、２１はポンプＡポンプＢを設置するポンプ室、２２は容器Ａ容器Ｂを収納する容器室、２３は天板、２４はポンプ室と容器室を仕切る遮へい板、２５は本体１の底部に固着した移動用の車輪、２６は本体１の後部側面に固着した移動用のハンドルである。２７は電気掃除機を固定するバンドである。【００１３】  図１は、本考案の請求項１に記載する表皮洗浄機の本体１の内部を開示するために１部を切欠した断面の斜視図で、中には、遮へい板２４で仕切られたポンプ室２１と容器室２２がありポンプ室２１にはポンプＡ７とポンプＢ８が設置されていており、容器室２２には容器Ａ１５と容器Ｂ１６が載置されている。【００１４】  ポンプ室２１にはポンプと配管が配置されていて、ポンプＡ７は配管Ａ９とホースＡ１３を介して容器Ａ１５から洗剤溶液を吸引し、配管Ｃ１１から吐出口接続部Ａ５に圧送する。吐出口接続部Ａ５に圧送された洗剤溶液は、慣用技術の接続具で嵌着されたホースを介して噴霧器に送られ溶液は霧状になって表皮に散布され、表皮を加湿して汚れを浮き上がらせる。【００１５】  ポンプＢ８は配管Ｂ１０とホースＢ１４を介して容器Ｂ１６からすすぎ用の清水を吸引し、配管Ｄ１２から吐出口接続部Ｂ６に圧送する。吐出口接続部Ｂ６に圧送された清水は慣用技術の接続具で嵌着されたホースを介して噴射ノズルに送られ洗剤で浮き上がった汚れの流動性を高めて（特許番号２７３９１３８）の既存技術を活かし、電気掃除機の強力な吸引力を使って、瞬時にこれを吸い取るために、噴射と吸引を同時進行で行うので、当該表皮は自然に乾燥するのを待つまでもなく、即、使用可能の状態にまで復元することができる。【００１６】  容器室２２には容器Ａ１５と容器Ｂ１６が載置されていて、容器Ａ１５には表皮の汚れを取るための洗剤の溶液をいれ、容器Ｂ１６には清水を入れ、前記洗剤で浮き上がった汚れを清水ですすぎ洗いするために用意されている。【００１７】    図２は、本考案の請求項２に記載する表皮洗浄機の本体１の天板２３上に電気掃除機２をゴムバンド２６で着脱自在に載設して一体化したことで、作業現場での小移動に適した構造になっている。
【図面の簡単な説明】
【００１８】
【図１】本考案の表皮洗浄機の実施例を示す１部切欠断面の斜視図である。
【図２】本考案の実施例を示す斜視図である。
【符号の説明】
【００１９】      １  本体
２  電気掃除機
３  操作盤
４  吸引口接続部
５  吐出口接続部Ａ
６  吐出口接続部Ｂ
７  ポンプＡ
８  ポンプＢ
９  配管Ａ
１０  配管Ｂ
１１  配管Ｃ
１２  配管Ｄ
１３  ホースＡ
１４  ホースＢ
１５  容器Ａ
１６  容器Ｂ
１７  注水口Ａ
１８  注水口Ｂ
１９  ホース投入口Ａ
２０  ホース投入口Ｂ
２１  ポンプ室
２２  容器室
２３  天板
２４  遮へい板
２５  車輪
２６  ハンドル
２７  バンド
【図１】
0003130776.tif 000003
【図２】
0003130776.tif 000004